(57)【要約】      （修正有）【課題】一対の連結用突起と一対のロック片とのロック状態を簡単に解除できて、保守時等におけるコネクタ相互の分離を容易できるコネクタの提供。【解決手段】第１のコネクタハウジング１０の一対の連結用突起１５に係合する一対のロック片２７を備える第２のコネクタハウジング２０には、一対のてこ部材３０と、楔部材４０と、を備え、一対のてこ部材３０は、ロック片２７の先端２７１から延出すると共に自由端３１にハウジングの幅方向内側への変位が付与されるとロック片２７の先端２７１をロック解除方向に変位させ、楔部材４０は、てこ部材３０の延在方向と直交する方向への移動動作によっててこ部材３０の自由端３１に前記幅方向内側への変位を付与する一対の楔部４１と、これらの一対の楔部４１を一体に移動可能に連結すると共に一対の楔部４１をてこ部材３０の延在方向と直交する方向へ移動させる際の操作部となる単一の楔連結部４２と、を備える。【選択図】図１
2014056699.tif 000002
【特許請求の範囲】
【請求項１】
第１の端子金具を収容する第１端子収容部と、該第１端子収容部の相反する方向を向く一対の外側面に突設された連結用突起と、を備える第１のコネクタハウジングと、
前記第１の端子金具に嵌合接続される第２の端子金具を保持すると共に前記第１端子収容部と嵌合する第２端子収容部と、前記第１端子収容部と前記第２端子収容部との嵌合が完了したときに前記連結用突起と係合するように前記第２端子収容部の外周に配置された一対のロック片と、を備える第２のコネクタハウジングと、
を備え、前記一対の連結用突起と前記一対のロック片との係合によって前記第１のコネクタハウジングと前記第２のコネクタハウジングとを嵌合状態にロックするコネクタであって、
前記第２のコネクタハウジングは、
前記ロック片の先端から延出した一対のてこ部材であって、自由端に前記第２のコネクタハウジングの幅方向内側への変位が付与されると、前記連結用突起と前記ロック片との係合が外れるように前記ロック片の先端を前記第２のコネクタハウジングの幅方向外側に変位させる一対のてこ部材と、
前記てこ部材の延在方向と直交する方向へ進退可能に前記第２のコネクタハウジングに取り付けられる楔部材と、を備え、
前記楔部材は、前記てこ部材の延在方向と直交する方向への移動動作によって前記てこ部材の自由端に前記幅方向内側への変位を付与する一対の楔部と、前記一対の楔部を一体に移動可能に連結すると共に前記一対の楔部を前記てこ部材の延在方向と直交する方向へ移動させる際の操作部となる単一の楔連結部と、を備えたことを特徴とするコネクタ。
【請求項２】
前記楔部は、前記てこ部材の延在方向と直交する方向に対して所定の傾斜角に傾斜したテーパ面によって、前記てこ部材の自由端に前記第２のコネクタハウジングの幅方向内側への変位を付与することを特徴とする請求項１に記載のコネクタ。
【発明の詳細な説明】
【技術分野】
【０００１】
本発明は、第１のコネクタハウジングに装備された一対の連結用突起と第２のコネクタハウジングに装備された一対のロック片との係合によって、これらのコネクタハウジング相互を嵌合状態にロックするコネクタに関する。
【背景技術】
【０００２】
図８は、下記特許文献１に開示されたコネクタを示している。
このコネクタ１００は、第１のコネクタハウジング１１０と、第２のコネクタハウジング１２０とを備えている。
【０００３】
第１のコネクタハウジング１１０は、第１の端子金具１１１を収容する有底筒状構造の第１端子収容部１１２と、該第１端子収容部１１２の相反する方向を向く一対の外側面に突設された連結用突起１１４と、を備える。
【０００４】
第２のコネクタハウジング１２０は、第１端子収容部１１２の内側に嵌合する第２端子収容部１２２と、第２端子収容部１２２内に保持されて第１の端子金具１１１に嵌合接続される不図示の第２の端子金具と、一対のロック片１２４と、を備える。
【０００５】
一対のロック片１２４は、第１端子収容部１１２と第２端子収容部１２２との嵌合が完了したときに連結用突起１１４と係合するように、第２端子収容部１２２の外周に配置されている。図示のコネクタ１００は、一対の連結用突起１１４と一対のロック片１２４との係合によって、第１のコネクタハウジング１１０と第２のコネクタハウジング１２０とを嵌合状態にロックする。
【０００６】
図示のコネクタ１００におけるロック片１２４は、第２端子収容部１２２の基端側（図８では、右端側）から先端に向かって延出する弾性片１２４２と、この弾性片１２４２の先端１２４２ａから弾性片１２４２の基端側に延出した解除操作用アーム部１２４３と、を備える。そして、弾性片１２４２は、先端１２４２ａ寄りの位置に、連結用突起１１４が係合する係合孔１２４１を有している。
【０００７】
また、弾性片１２４２に連なる解除操作用アーム部１２４３の先端には、押下操作用の操作部１２４４が設けられている。操作部１２４４を、図の矢印Ｆ１方向に押下すると、解除操作用アーム部１２４３がてことして回動挙動して、弾性片１２４２の先端１２４２ａが図の矢印Ｆ２方向に変位する。弾性片１２４２の先端１２４２ａの矢印Ｆ２方向に変位が一定以上になると、弾性片１２４２上の係合孔１２４１から連結用突起１１４が離脱し、連結用突起１１４とロック片１２４との係合が解除された状態になる。
【０００８】
コネクタハウジング１１０，１２０相互が嵌合している状態のコネクタ１００において、一対のロック片１２４のそれぞれを、連結用突起１１４との係合を解除した状態にして、その状態で、第１のコネクタハウジング１１０と第２のコネクタハウジング１２０とを引き離す方向に付勢することで、第１のコネクタハウジング１１０と第２のコネクタハウジング１２０とを分離することができる。
【先行技術文献】
【特許文献】
【０００９】
【特許文献１】特開２００６−２８６４６２号公報
【発明の概要】
【発明が解決しようとする課題】
【００１０】
ところで、特許文献１のコネクタ１００では、保守等のために、第１のコネクタハウジング１１０と第２のコネクタハウジング１２０とのロック状態を解除するには、図８に示した一対の操作部１２４４を同時に押下操作して、一対の連結用突起と一対のロック片との係合を同時に解除しなければならない。
【００１１】
言い換えると、ロック状態の解除に手間がかかり、保守時の作業を遅延させる原因となった。
【００１２】
そこで、本発明の目的は、上記課題を解消することに係り、一対の連結用突起と一対のロック片との係合によるコネクタハウジング相互のロック状態を簡単に解除することができて、保守時等におけるコネクタハウジング相互の分離作業を容易にすることができるコネクタを提供することにある。
【課題を解決するための手段】
【００１３】
本発明の前述した目的は、下記の構成により達成される。
（１）  第１の端子金具を収容する第１端子収容部と、該第１端子収容部の相反する方向を向く一対の外側面に突設された連結用突起と、を備える第１のコネクタハウジングと、
前記第１の端子金具に嵌合接続される第２の端子金具を保持すると共に前記第１端子収容部と嵌合する第２端子収容部と、前記第１端子収容部と前記第２端子収容部との嵌合が完了したときに前記連結用突起と係合するように前記第２端子収容部の外周に配置された一対のロック片と、を備える第２のコネクタハウジングと、
を備え、前記一対の連結用突起と前記一対のロック片との係合によって前記第１のコネクタハウジングと前記第２のコネクタハウジングとを嵌合状態にロックするコネクタであって、
前記第２のコネクタハウジングは、
前記ロック片の先端から延出した一対のてこ部材であって、自由端に前記第２のコネクタハウジングの幅方向内側への変位が付与されると、前記連結用突起と前記ロック片との係合が外れるように前記ロック片の先端を前記第２のコネクタハウジングの幅方向外側に変位させる一対のてこ部材と、
前記てこ部材の延在方向と直交する方向へ進退可能に前記第２のコネクタハウジングに取り付けられる楔部材と、を備え、
前記楔部材は、前記てこ部材の延在方向と直交する方向への移動動作によって前記てこ部材の自由端に前記幅方向内側への変位を付与する一対の楔部と、これらの一対の楔部を一体に移動可能に連結すると共に前記一対の楔部を前記てこ部材の延在方向と直交する方向へ移動させる際の操作部となる単一の楔連結部と、を備えたことを特徴とするコネクタ。
【００１４】
（２）  前記楔部は、前記てこ部材の延在方向と直交する方向に対して所定の傾斜角に傾斜したテーパ面によって、前記てこ部材の自由端に前記第２のコネクタハウジングの幅方向内側への変位を付与することを特徴とする上記（１）に記載のコネクタ。
【００１５】
上記（１）の構成によれば、ロック状態にある第１のコネクタハウジングと第２のコネクタハウジングとを保守等のために分離するには、両コネクタハウジング間のロック状態を解除した上で、それぞれのコネクタハウジングを互いに引き離す方向に引っ張る。
【００１６】
但し、第１のコネクタハウジングと第２のコネクタハウジングとは、一対の連結用突起と一対のロック片との係合によってロック状態になっている。そして、ロック状態下においては、第２のコネクタハウジング上の楔部材の楔連結部を押下して、該楔部材をてこ部材の延在方向と直交する方向に移動させると、楔部材における一対の楔部がてこ部材の自由端を第２のコネクタハウジングの幅方向内側へ変位させる。そして、このてこ部材の自由端の変位によって、連結用突起とロック片との係合が外れるようにロック片の先端が変位させられ、ロック解除状態にすることができる。
【００１７】
即ち、ロック状態は、１つの楔連結部を押下するという簡単な操作で、簡単に解除することができる。そのため、保守時等におけるコネクタハウジング相互の分離作業を容易にすることができる。
【００１８】
上記（２）の構成によれば、楔部材における楔部は、てこ部材の延在方向と直交する方向に対して傾斜したテーパ面によっててこ部材の自由端に変位を付与するもので、テーパ面の傾斜角を適宜に選定することで、操作力を所望値に設定することができるため、操作力の低減による操作性の向上を図り易い。
【００１９】
また、てこ部材の自由端から楔部のテーパ面に作用する反力は、楔部を元の位置に戻す復元力として作用するため、コネクタハウジング相互の離脱後に楔連結部に加えていた押下操作を解除すれば、てこ部材から楔部に作用する反力で自動的に楔部材を元の位置に復帰させることが可能である。そのため、コネクタハウジング相互の離脱後に、楔部材を元の位置に戻すための特別な操作が不要となり、取り扱い性を向上させることができる。
【発明の効果】
【００２０】
本発明によるコネクタによれば、第１のコネクタハウジングと第２のコネクタハウジングとのロック状態は、１つの楔連結部を押下するという簡単な操作で、簡単に解除することができる。そのため、保守時等におけるコネクタハウジング相互の分離作業を容易にすることができる。
【図面の簡単な説明】
【００２１】
【図１】図１は本発明に係るコネクタの一実施形態の分解斜視図である。
【図２】図２は図１に示した第２のコネクタハウジングの組立状態の縦断面図である。
【図３】図３は図２のＡ−Ａ断面図である。
【図４】図４は図３に示した第２のコネクタハウジングに第１のコネクタハウジングが嵌合してコネクタハウジング相互がロック状態となっている一実施形態のコネクタの縦断面図である。
【図５】図５は図４のＢ−Ｂ断面図である。
【図６】図６は図５の状態から楔部材の楔連結部が押下されて、楔部材がてこ部材の延在方向と直交する方向に移動した状態の横断面図である。
【図７】図７は一実施形態のコネクタにおいて、ロック解除時の一対のロック片の挙動を示す縦断面図で、図６のＤ−Ｄ断面図である。
【図８】図８は従来のコネクタのロック状態を示す縦断面図である。
【発明を実施するための形態】
【００２２】
以下、本発明に係るコネクタの好適な実施形態について、図面を参照して詳細に説明する。
【００２３】
図１〜図７は本発明に係るコネクタの一実施形態を示したもので、図１は本発明の一実施形態のコネクタの分解斜視図、図２は図１に示した第２のコネクタハウジングの組立状態の縦断面図、図３は図２のＡ−Ａ断面図、図４は図３に示した第２のコネクタハウジングに第１のコネクタハウジングが嵌合してコネクタハウジング相互がロック状態となっている一実施形態のコネクタの縦断面図、図５は図４のＢ−Ｂ断面図、図６は図５の状態から楔部材の楔連結部が押下されて、楔部材がてこ部材の延在方向と直交する方向に移動した状態の横断面図、図７は一実施形態のコネクタにおいて、ロック解除時の一対のロック片の挙動を示す縦断面図である。
【００２４】
この一実施形態のコネクタ１は、防水コネクタで、図１に示すように、第１のコネクタハウジング１０と、第２のコネクタハウジング２０と、一対のてこ部材３０と、単一の楔部材４０と、を備える。
【００２５】
第１のコネクタハウジング１０は、不図示の第１の端子金具を収容する第１端子収容部１３と、該第１端子収容部１３の相反する方向を向く一対の外側面１３ａ，１３ａに突設された連結用突起（ロック用突起）１５と、を備える。不図示の第１の端子金具は、舌片状を成す雄型端子金具である。
【００２６】
第１端子収容部１３の先端側は、筒状構造になっている。第１端子収容部１３の一対の外側面１３ａ，１３ａは、ハウジングの幅方向（図１の矢印Ｙ１方向）に相反する方向を向く面である。ハウジングの幅方向は、ハウジング相互の嵌合方向（図１の矢印Ｘ１方向）と直交する。
【００２７】
第２のコネクタハウジング２０は、図１〜図３に示すように、第２の端子金具２１と、インナーハウジング２２と、スプリング２３と、アウターハウジング２４と、防水手段であるパッキン２５と、リテーナ２６と、一対のロック片２７と、を備えている。
【００２８】
第２の端子金具２１は、基端に電線２１１が圧着接続される雌型の端子金具である。この第２の端子金具２１は、金属板のプレス成形品で、基端側から順に電線加締め片２１ａ、電線圧着片２１ｂ、端子嵌合部２１ｃを有している。電線加締め片２１ａは、電線２１１の外被の上に加締め付けて電線２１１を固定する部位である。電線圧着片２１ｂは、電線２１１の導体上に加締め付けて電線２１１に導通接続される部位である。端子嵌合部２１ｃは、不図示の第１の端子金具が嵌合する角筒構造に形成されている。
【００２９】
第２の端子金具２１の基端に接続された電線２１１には、防水栓２１２が被嵌装着されている。
【００３０】
インナーハウジング２２は、図２及び図３に示すように、第２の端子金具２１を収容する端子収容孔２２ａと、端子収容孔２２ａに収容された第２の端子金具２１を抜け止めする端子係止ランス２２ｂと、ばね支持部２２ｃ（図１参照）と、を備えている。このインナーハウジング２２は、第２の端子金具２１を収容して、第２端子収容部として、アウターハウジング２４内に装着される。
【００３１】
インナーハウジング２２のばね支持部２２ｃは、スプリング２３の一端が着座する部位である。スプリング２３は、本実施形態の場合、圧縮コイルばねである。スプリング２３は、図２に示すように、アウターハウジング２４の基端部のばね受け部２４ｃとインナーハウジング２２との間に圧縮状態で装備されて、インナーハウジング２２を図２中の矢印Ｘ２方向に付勢する。
【００３２】
インナーハウジング２２の端子収容孔２２ａに挿入された第２の端子金具２１の基端側は、図２に示すように、防水栓２１２が端子収容孔２２ａに密着することで、防水される。
【００３３】
アウターハウジング２４は、図２及び図３に示すように、インナーハウジング２２が挿入されるインナー収容孔２４ａと、インナーハウジング２２の抜けを防止するインナー係止片２４ｂと、ばね受け部２４ｃと、を備える。
【００３４】
インナー係止片２４ｂは、図３に示すように、インナーハウジング２２の基端側の外側面に突設された抜け止め用突起２２ｅと係合することで、インナーハウジング２２の抜け方向（図３の矢印Ｘ３方向）への移動を規制する。
【００３５】
スプリング２３は、図２に示すように、アウターハウジング２４の基端部のばね受け部２４ｃとばね支持部２２ｃ（図１参照）との間に圧縮状態で装着され、抜け止め用突起２２ｅがインナー係止片２４ｂに当接した状態を維持するように、インナーハウジング２２を付勢する。
【００３６】
パッキン２５は、図２及び図３に示すように、インナーハウジング２２の先端側外周部に嵌合装着される。このパッキン２５は、図４に示すように、アウターハウジング２４に嵌合する第１のコネクタハウジング１０とインナーハウジング２２との間の隙間を封止する。
【００３７】
リテーナ２６は、図２に示すように、インナーハウジング２２の先端部に被嵌装着されて、パッキン２５及び第２の端子金具２１を抜け止めする。
【００３８】
インナーハウジング２２は、図４に示すように、アウターハウジング２４の先端側に第１のコネクタハウジング１０の先端部が挿入されたときに、第１のコネクタハウジング１０の第１端子収容部１３と嵌合する第２端子収容部として機能する。
【００３９】
一対のロック片２７は、第１端子収容部１３と第２端子収容部であるインナーハウジング２２との嵌合が完了したときに、第１端子収容部１３の外周の連結用突起１５と係合するように、第２端子収容部の外周でもあるアウターハウジング２４の外側面２４ｆに装備されている。
【００４０】
一対のロック片２７は、アウターハウジング２４の外側面２４ｆにおいて、基端側から先端側に向かって延出した弾性片２７ａの先端側に、連結用突起１５が係合可能な係止孔２７ｂを設けた構造である。
【００４１】
一対のロック片２７は、図４に示すように、第１のコネクタハウジング１０の一対の連結用突起１５との係合によって、第１のコネクタハウジング１０と第２のコネクタハウジング２０とを嵌合状態にロックする。
【００４２】
一対のてこ部材３０は、第２のコネクタハウジング２０に一体形成された部材で、図３に示すように、ロック片２７の先端２７１からロック片２７の基端側に延出している。てこ部材３０の基端は、自由端３１である。この一対のてこ部材３０は、ロック片２７の基端側に位置する自由端３１に第２のコネクタハウジング２０の幅方向内側（図３の矢印Ｙ５，Ｙ６方向）への変位が付与されると、連結用突起１５とロック片２７との係合が外れるように、ロック片２７の先端２７１を第２のコネクタハウジング２０の幅方向外側（図３の矢印Ｙ７，Ｙ８方向）に変位させる。
【００４３】
単一の楔部材４０は、図１に矢印Ｚ２で示すように、アウターハウジング２４に形成された楔収容空間２４２に挿入されて、アウターハウジング２４に取り付けられる。この単一の楔部材４０の楔収容空間２４２への挿入方向（図１の矢印Ｚ２方向）は、てこ部材３０の延在方向（図１の矢印Ｘ１０方向）と直交する方向である。
【００４４】
楔部材４０は、てこ部材３０の延在方向と直交する方向へ進退可能に、アウターハウジング２４に取り付けられる。
【００４５】
本実施形態の楔部材４０は、図１及び図５に示すように、一対の楔部４１と、これらの一対の楔部４１を連結する単一の楔連結部４２とを備えている。
【００４６】
楔連結部４２は、一対の楔部４１を一体に移動可能に連結すると共に、一対の楔部４１をてこ部材３０の延在方向と直交する方向へ移動させる際の操作部となる部位である。
【００４７】
図６に示すように、楔収容空間２４２に取り付けられた楔部材４０の楔連結部４２を、てこ部材３０の延在方向と直交する方向（図６の矢印Ｚ４方向）に押下すると、楔部４１は、てこ部材３０の延在方向と直交する方向（図６の矢印Ｚ５方向）に移動する。楔部材４０は、この楔部４１の矢印Ｚ５方向への移動動作によって、てこ部材３０の自由端３１に幅方向内側（図６の矢印Ｗ１，Ｗ２方向）への変位を付与する。
【００４８】
てこ部材３０の自由端３１が幅方向内側に変位すると、てこ部材３０の先端であるロック片２７の先端２７１は図７に矢印Ｗ３，Ｗ４で示すように、連結用突起１５とロック片２７との係合を解除する方向である幅方向外側に変位する。
【００４９】
本実施形態の場合、楔部４１は、図５に示すように、てこ部材３０の延在方向と直交する方向（直線Ｌ１の延在方向）に対して所定の傾斜角θに傾斜したテーパ面４１ａによって、てこ部材３０の自由端３１に前記第２のコネクタハウジング２０の幅方向内側への変位を付与する。
【００５０】
また、本実施形態の場合、テーパ面４１ａの摺動を滑らかにするために、図５に示すように、該テーパ面４１ａに接触する自由端３１の表面も、略同等の傾斜角のテーパ面３１ａになっている。
【００５１】
以上に説明した一実施形態のコネクタ１の場合、ロック状態にある第１のコネクタハウジング１０と第２のコネクタハウジング２０とを保守等のために分離するには、両コネクタハウジング間のロック状態を解除した上で、それぞれのコネクタハウジング１０，２０を互いに引き離す方向に引っ張る。
【００５２】
但し、第１のコネクタハウジング１０と第２のコネクタハウジング２０とは、図４に示したように、一対の連結用突起１５と一対のロック片２７との係合によってロック状態になっている。そして、ロック状態下においては、図６に矢印Ｚ４で示すように第２のコネクタハウジング２０上の楔部材４０の楔連結部４２を押下して、該楔部材４０をてこ部材３０の延在方向と直交する方向に移動させると、楔部材４０における一対の楔部４１がてこ部材３０の自由端３１を第２のコネクタハウジング２０の幅方向内側へ変位させる。
【００５３】
そして、このてこ部材３０の自由端３１の変位によって、図７に示すように、連結用突起１５とロック片２７との係合が外れるようにロック片２７の先端２７１が変位させられ、ロック解除状態にすることができる。
【００５４】
即ち、ロック状態は、１つの楔連結部４２を押下するという簡単な操作で、簡単に解除することができる。そのため、保守時等におけるコネクタハウジング相互の分離作業を容易にすることができる。
【００５５】
また、以上に説明した一実施形態のコネクタ１の場合、楔部材４０における楔部４１は、てこ部材３０の延在方向と直交する方向に対して傾斜したテーパ面４１ａによっててこ部材３０の自由端３１に変位を付与するもので、テーパ面４１ａの傾斜角を適宜に選定することで、操作力を所望値に設定することができるため、操作力の低減による操作性の向上を図り易い。
【００５６】
また、てこ部材３０の自由端３１から楔部４１のテーパ面４１ａに作用する反力は、楔部４１を元の位置に戻す復元力として作用するため、コネクタハウジング相互の離脱後に楔連結部４２に加えていた押下操作を解除すれば、てこ部材３０から楔部４１に作用する反力で自動的に楔部材４０を元の位置に復帰させることが可能である。そのため、コネクタハウジング相互の離脱後に、楔部材４０を元の位置に戻すための特別な操作が不要となり、取り扱い性を向上させることができる。
【００５７】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５８】
例えば、楔部材の形状や配置、或いはてこ部材の形状や大きさ等は、一実施形態と同様の機能を発揮できる範囲で、適宜に設計変更することが可能である。
【００５９】
ここで、上述した本発明に係るコネクタの実施形態の特徴をそれぞれ以下［１］〜［２］に簡潔に纏めて列記する。
【００６０】
［１］  第１の端子金具を収容する第１端子収容部（１３）と、該第１端子収容部（１３）の相反する方向を向く一対の外側面（１３ａ）に突設された連結用突起（１５）と、を備える第１のコネクタハウジング（１０）と、
前記第１の端子金具に嵌合接続される第２の端子金具（２１）を保持すると共に前記第１端子収容部（１３）と嵌合する第２端子収容部（２２）と、前記第１端子収容部（１３）と前記第２端子収容部（２２）との嵌合が完了したときに前記連結用突起（１５）と係合するように前記第２端子収容部（２２）の外周に配置された一対のロック片（２７）と、を備える第２のコネクタハウジング（２０）と、
を備え、前記一対の連結用突起（１５）と前記一対のロック片（２７）との係合によって前記第１のコネクタハウジング（１０）と前記第２のコネクタハウジング（２０）とを嵌合状態にロックするコネクタ（１）であって、
前記第２のコネクタハウジング（２０）は、
前記ロック片（２７）の先端（２７１）から延出した一対のてこ部材（３０）であって、自由端（３１）に前記第２のコネクタハウジング（２０）の幅方向内側への変位が付与されると、前記連結用突起（１５）と前記ロック片（２７）との係合が外れるように前記ロック片（２７）の先端（２７１）を前記第２のコネクタハウジング（２０）の幅方向外側に変位させる一対のてこ部材（３０）と、
前記てこ部材（３０）の延在方向と直交する方向へ進退可能に前記第２のコネクタハウジング（２０）に取り付けられる楔部材（４０）と、を備え、
前記楔部材（４０）は、前記てこ部材（３０）の延在方向と直交する方向への移動動作によって前記てこ部材（３０）の自由端（３１）に前記幅方向内側への変位を付与する一対の楔部（４１）と、これらの一対の楔部（４１）を一体に移動可能に連結すると共に前記一対の楔部（４１）を前記てこ部材（３０）の延在方向と直交する方向へ移動させる際の操作部となる単一の楔連結部（４２）と、を備えたことを特徴とするコネクタ（１）。
【００６１】
［２］  前記楔部（４１）は、前記てこ部材（３０）の延在方向と直交する方向に対して所定の傾斜角に傾斜したテーパ面（４１ａ）によって、前記てこ部材（３０）の自由端（３１）に前記第２のコネクタハウジング（２０）の幅方向内側への変位を付与することを特徴とする上記［１］に記載のコネクタ（１）。
【符号の説明】
【００６２】
１  コネクタ
１０  第１のコネクタハウジング
１３  第１端子収容部
１５  連結用突起
２０  第２のコネクタハウジング
２１  第２の端子金具
２２  インナーハウジング（第２端子収容部）
２７  ロック片
２７１  先端
３０  てこ部材
３１  自由端
４０  楔部材
４１  楔部
４２  楔連結部
【図１】
2014056699.tif 000003
【図２】
2014056699.tif 000004
【図３】
2014056699.tif 000005
【図４】
2014056699.tif 000006
【図５】
2014056699.tif 000007
【図６】
2014056699.tif 000008
【図７】
2014056699.tif 000009
【図８】
2014056699.tif 000010